(57)【要約】【課題】車両側面視における車両の外観品質を向上させることができるロッカモールおよび車両側部構造を提供する。【解決手段】車両側部下側には、ロッカインナパネル２４とロッカアウタパネル２２とで構成されたロッカ２０が配設されている。さらに、ロッカアウタパネル２２には、ロッカモール３０が取り付けられている。ロッカモール３０の下部側には、凸部４０が構成されると共に吸音材５０が取付けられている。さらに、凸部４０の車両幅方向外側には延出部３８が設けられ、延出部３８が吸音材５０に対してラップしている。【選択図】図２
2014028603.tif 000002
【特許請求の範囲】
【請求項１】
車両幅方向両側部の車両下端側に、車両前後方向を長手方向として配置されたロッカの一部を構成するロッカアウタパネルの車両幅方向外側に取り付けられたロッカモールにおいて、
前記ロッカモールには、車両上下方向下面側に吸音材が取り付けられるとともに、前記吸音材に対して車両幅方向外側には車両上下方向下方側に向かって延在する延出部が設けられ、前記吸音材と前記延出部とが車両側面視でラップすることを特徴とするロッカモール。
【請求項２】
前記ロッカモールには、板厚方向に貫通し、前記吸音材に連通する連通部が形成されていることを特徴とする請求項１記載のロッカモール。
【請求項３】
前記吸音材の、少なくとも下面には、撥水処理が施されていることを特徴とする請求項２記載のロッカモール。
【請求項４】
前記ロッカモールの車両前後方向に沿って形成されかつ車両下方に向かって突出する凸部が設けられ、前記凸部の車両幅方向側部には、前記吸音材と前記連通部とが設けられていることを特徴とする請求項２又は請求項３に記載のロッカモール。
【請求項５】
前記連通部は前記凸部の内方側かつ下方側に向かって傾斜していることを特徴とする請求項４記載のロッカモール。
【請求項６】
前記ロッカには、請求項１から請求項５のいずれか一項に記載されたロッカモールが取り付けられていることを特徴とする車両側部構造。
【請求項７】
前記ロッカは、各々縦断面形状がハット形とされたロッカインナパネルと前記ロッカアウタパネルとを含んで閉断面形状とされると共に、当該閉断面から下方に延びるフランジ部を備え、前記ロッカモールは、前記フランジ部に沿って当該フランジ部下端よりも下方に突出する突出部を備えることを特徴とする請求項６記載の車両側部構造。
【発明の詳細な説明】
【技術分野】
【０００１】
本発明は、ロッカモールおよび車両側部構造に関する。
【背景技術】
【０００２】
一般に、車両両側部の下端側には、閉断面構造のロッカが配置されている。このロッカはロッカインナパネルとロッカアウタパネルとを含んで構成されており、更にロッカアウタパネルにはロッカを装飾するロッカモールが取り付けられている。
【０００３】
ここで、下記特許文献１には、ロッカアウタパネルの車両上下方向の下部側に樹脂製のロッカモールを設けた構造が開示されている。簡単に説明すると、この先行技術の場合、ロッカアウパネルの車両上下方向下部側に帯状かつ中空のロッカモールが両面接着テープによって取り付けられている。これにより、走行中に路面から飛来する砂利等のチップを原因とするロッカアウタパネルへの傷つきを防止することができると共に吸音効果も得られる。
【先行技術文献】
【特許文献】
【０００４】
【特許文献１】特開平０９-０３９６８３号公報
【発明の概要】
【発明が解決しようとする課題】
【０００５】
ここで、上記先行技術はロッカモール自体に吸音性能を付与しているが、ロッカモールと吸音材とを別部品で構成しようとした場合、吸音材が側面視で見えてしまい車両側部の外観品質が低下する可能性がある。
【０００６】
本発明は上記事実を考慮し、吸音材を別部材として構成した場合においても、車両側面視における車両の外観品質を向上させることができるロッカモールおよび車両側部構造を得ることが目的である。
【課題を解決するための手段】
【０００７】
請求項１記載の本発明に係るロッカモールは、車両幅方向両側部の車両下端側に、車両前後方向を長手方向として配置されたロッカの一部を構成するロッカアウタパネルの車両幅方向外側に取り付けられたロッカモールにおいて、前記ロッカモールには、車両上下方向下面側に吸音材が取り付けられるとともに、前記吸音材に対して車両幅方向外側には車両上下方向下方側に向かって延在する延出部が設けられ、前記吸音材と前記延出部とが車両側面視でラップすることを特徴とする。
【０００８】
請求項２記載の本発明に係るロッカモールは、請求項１記載の発明において、前記ロッカモールには、板厚方向に貫通し、前記吸音材に連通する連通部が形成されていることを特徴とする。
【０００９】
請求項３記載の本発明に係るロッカモールは、請求項２記載の発明において、前記吸音材の、少なくとも下面には、撥水処理が施されていることを特徴とする。
【００１０】
請求項４記載の本発明に係るロッカモールは、請求項２又は請求項３の発明において、前記ロッカモールの車両前後方向に沿って形成されかつ車両下方に向かって突出する凸部が設けられ、前記凸部の車両幅方向側部には、前記吸音材と前記連通部とが設けられていることを特徴とする。
【００１１】
請求項５記載の本発明に係るロッカモールは、請求項４記載の発明において、前記連通部は前記凸部の内方側かつ下方側に向かって傾斜していることを特徴とする。
【００１２】
請求項６記載の本発明に係る車両側部構造は、前記ロッカには、請求項１から請求項５のいずれか一項に記載されたロッカモールが取り付けられていることを特徴とする。
【００１３】
請求項７記載の本発明に係る車両側部構造は、請求項６記載の発明において、前記ロッカは、各々縦断面形状がハット形とされたロッカインナパネルと前記ロッカアウタパネルとを含んで閉断面形状とされると共に、当該閉断面から下方に延びるフランジ部を備え、前記ロッカモールは、前記フランジ部に沿って当該フランジ部下端よりも下方に突出する突出部を備えることを特徴とする。
【００１４】
請求項１記載の本発明によれば、ロッカモールの車両上下方向下方側に取り付けられた吸音材と、ロッカモールの一部であり吸音材に対して車両幅方向外側に設けられるとともに車両上下方向下方側に向かって延出する延出部とが、車両側面視で車両上下方向にラップする。このため、吸音材は、延出部によって両者がラップする範囲で隠れる。
【００１５】
請求項２記載の本発明によれば、ロッカモールには、吸音材と車両上下方向に対向する側に連通部が設けられているため、ロッカモールとロッカとの間の空間と吸音材とが連通部を介して連通され、ロッカ内の空間に入ってきたノイズが連通部を通じて吸音材に吸収される。
【００１６】
請求項３記載の本発明によれば、吸音材の、少なくとも下面には、撥水処理が施されているため、水溜り等からタイヤが巻き上げた水が吸音材に付着しづらくなる。従って、吸音材は腐食しづらくなる。
【００１７】
請求項４記載の本発明によれば、ロッカモールの車両前後方向に沿って形成されかつ車両下方側に向かって突出する凸部が設けられ、凸部の車両幅方向側部に連通部が設けられているため、凸部の底部に連通部を設ける場合に比し、連通部が水で塞がれにくくなる。すなわち、凸部には雨などを理由にロッカモール内部の水が溜ることがある。この場合、仮に底部に連通部が形成されていると連通部が水で塞がれやすくなるが、本発明によれば、両側壁に連通部が形成されかつ傾斜しているため、連通部が水で塞がれにくい。
【００１８】
請求項５記載の本発明によれば、ロッカモールに設けられた連通部は、凸部の内方側かつ車両下方側に向かって傾斜しているため、水が連通部に溜まっても、凸部の内側に水が落ち易くなる。よって、連通部に水が溜まることを低減することができる。
【００１９】
請求項６記載の本発明によれば、ロッカには請求項１から請求項５のいずれかに記載のロッカモールが取り付けられている。従って、請求項１から請求項５のいずれかに記載のロッカモールと同様の作用が車両側部構造において得られる。
【００２０】
請求項７記載の本発明によれば、ロッカインナパネルとロッカアウタパネルとは縦断面形状がハット形とされており、各々車両上下方向に設けられた上側フランジ部同士と下側フランジ部同士とがそれぞれ接合されていることで閉断面形状とされている。さらに、当該閉断面から下方に延びるフランジ部が備えられている。また、ロッカモールには、前述したフランジ部に沿って当該フランジ部下端よりも下方に突出する突出部が設けられている。これにより、突出部が反射板となって音が反射される。
【発明の効果】
【００２１】
以上説明したように、請求項１記載の本発明に係るロッカモールは、従来技術の効果（傷つき防止や吸音）を確保しつつ車両側面視における車両の外観品質を向上させることができるという優れた効果を有する。
【００２２】
請求項２記載の本発明に係るロッカモールは、ロッカ内の空間に入ってきたノイズが室内に伝わることを低減することができるという優れた効果を有する。
【００２３】
請求項３記載の本発明に係るロッカモールは、良好に吸音をすることができるという優れた効果を有する。
【００２４】
請求項４記載の本発明に係るロッカモールは、凸部の底部に連通部を設ける場合と比べて凸部に水が溜まっても連通部が水で塞がれることを低減することができるという優れた効果を有する。
【００２５】
請求項５記載の本発明に係るロッカモールは、吸音材による吸音性能を良好に維持することができるという優れた効果を有する。
【００２６】
請求項６記載の本発明に係る車両側部構造は、請求項１記載の発明と同様に、車両側面視における車両の外観品質を向上させることができる他、引用した請求項に応じて請求項２から請求項５のいずれかの発明で得られる効果が得られるという優れた効果を有する。
【００２７】
請求項７記載の本発明に係る車両側部構造は、吸音効果の向上に寄与することができるという優れた効果を有する。
【図面の簡単な説明】
【００２８】
【図１】本実施形態に係るロッカモールおよび車両側部構造が適用された車両左側の斜め前方から見て示す斜視図である。
【図２】図１の２-２線に沿って切断した状態を車両左側の斜め前方から見て示す拡大斜視図である。
【図３】図２に示される要部を拡大した縦断面図である。
【発明を実施するための最良の形態】
【００２９】
以下、図１〜図３を用いて、本発明に係るロッカモールおよび車両側部構造の一実施形態について説明する。なお、各図に適宜示される矢印ＦＲは車両前方側を示しており、又矢印ＵＰは車両上方を示している。さらに、矢印ＯＵＴは車両幅方向外側を示し、ＲＨは車両幅方向右側を示している。加えて、本実施形態については主に車両左側側部について説明する。
【００３０】
図１または図２に示されるように、車両１０の車両側部１２における車両上下方向の下端側には、車両前後方向を長手方向として延在し、車両骨格部材の一つを構成するロッカ２０が配設されている。なお、ロッカ２０の車両上方側には、ドア開口部を開閉するサイドドア１４が配設されている。
【００３１】
図２に示されるように、上述したロッカ２０は、縦断面形状がそれぞれハット形に形成されたロッカアウタパネル２２及びロッカインナパネル２４を含んで矩形の閉断面を構成している。より具体的に説明すると、ロッカアウタパネル２２はロッカ２０の車両幅方向外側に配置されると共に、縦断面視において車両上下方向に延びる上側フランジ部２２Ａと、上側フランジ部２２Ａの下端部から車両幅方向外側に延びる上壁部２２Ｂと、上壁部２２Ｂの外側端部から車両下方側へ上側フランジ部２２に対して延びる縦壁部２２Ｃと、縦壁部２２Ｃの下端部から車両幅方向内側に延びる下壁部２２Ｄと、下壁部２２Ｄの内側端部から車両下方側に延びる下側フランジ部２２Ｅと、で構成されている。また、ロッカインナパネル２４は車両幅方向内側に配置されており、ロッカアウタパネル２２と同様に、上側フランジ部２４Ａと、上壁部２４Ｂと、縦壁部２４Ｃと、下壁部２４Ｄと、下側フランジ部２４Ｅと、で構成されている。そして、上側フランジ部２２Ａ、２４Ａ同士と下側フランジ部２２Ｅ、２４Ｅ同士とが互いにスポット溶接でそれぞれ接合されることにより、矩形閉断面構造のロッカ２０が構成されている。なお、上壁部２４Ｂには、ワイヤハーネス等を通す貫通孔２６が形成されている。また、下壁部２２Ｄには、ロッカ２０内に溜まった水等を排出する水抜き孔２８が形成されている。なお、上記では上側フランジ部２２Ａ、２４Ａ同士、下側フランジ部２２Ｅ、２４Ｅ同士をスポット溶接で接合したが、これに限らず、ロッカインナパネル２４とロッカアウタパネル２２とが固定できる構成であればすべて適用可能である。
【００３２】
ここで、上述したロッカアウタパネル２２には、その車両幅方向外側から車両上下方向下面側に亘って（即ち、縦壁部２２Ｃから下壁部２２Ｅに亘って）ロッカ２０を装飾する樹脂製のロッカモール３０が図示しないクリップ等によって取り付けられている。より具体的に説明すると、ロッカモール３０は、縦断面視において車両上下方向に延びロッカアウタパネル２２の縦壁部２２Ｃに当接されたフランジ状の上側取付部３２と、上側取付部３２の下端部から車両幅方向外側に延びる上壁部３４と、上壁部３４の外側端部から上側取付部３２と平行に車両上下方向下方側に向かって延びる外壁部３６と、更に外壁部３６から車両上下方向下方側に向かって一体に延出すると共に、外壁部３６の一部を構成しているＶ字形状断面の延出部３８と、延出部３８の車両幅方向内側端部からロッカアウタパネル２２の下壁部２２Ｄから離間する方向である車体上下方向下方側に突出する凸部４０と、凸部４０の車両幅方向内側端部から更に車両幅方向内側へ斜めに延びる傾斜部４２と、傾斜部４２の車両幅方向内側端部から車両幅方向内側に延びかつロッカアウタパネル２２の下壁部２２Ｄに図示しないクリップ等で取り付けられた下側取付部４４と、下側取付部４４の車両幅方向内側端部から車両上下方向下側へロッカアウタパネル２２の下側フランジ部２２Ｅに沿って延びると共に下側フランジ部２２Ｅと面接触している下側フランジ部４６と、で構成されている。なお、本実施形態では、ロッカ２０にロッカモール３０を取付ける方法にクリップを用いたが、これに限らず、ロッカ２０にロッカモール３０を取付けることができるならばすべて適用可能である。また、従来のロッカモールの下端位置である一点鎖線Ｐからロッカモール３０の下端部３９の部分が「延出部３８」である。
【００３３】
上述した凸部４０についてより詳しく説明すると、図３に示されるように、凸部４０は車両上側が開放された断面Ｕ字状に形成されており、凸部４０は、車両幅方向に離間して配置された左右一対の側部４０Ａ、４０Ｂと、これらの両側部４０Ａ、４０Ｂの下端部同士を車両幅方向に繋ぐ底部４０Ｃと、で構成されている。加えて、前述した両側部４０Ａ、４０Ｂには、車両前後方向に延びると共に、底部４０Ｃに向かって傾斜しかつ板厚方向に貫通するスリット４８が設けられている。
【００３４】
上述した凸部４０の下面には、シート状の吸音材５０が接着剤を用いて取り付けられている。この吸音材５０は多孔質の構造体であり、その表面全体には撥水処理が施されている。なお、本実施形態では、吸音材５０を接着剤で取付けているが、これに限らず、吸音材５０を取付けることができる構成、例えば、クリップを用いて取付ける等であればすべて適用可能である。また、凸部４０の表面に吸音材５０が取付けられた状態では、スリット４８が側部５０Ａ、５０Ｃで閉塞されている。側部５０Ａ、５０Ｃには、スリット４８が設けられている。さらに、本実施形態では、吸音材５０表面全体に撥水処理が施されているが、例えば吸音材５０の下面側のみ撥水処理が施されている場合など、撥水処理は吸音材５０が外部に露出している面に施されていればよい。
【００３５】
さらに、図２に示されるように、上述した延出部３８と吸音材５０とは、車両側面視において、車両上下方向にラップしている。より具体的に説明すると、外壁部３６から車両上下方向下方側に向かって延出する延出部３８の下端部３９は、凸部４０に取り付けられた吸音材５０の底部５０Ｂよりも車両上下方向の下側に配置されている。つまり、車両側面視において、車両上下方向で延出部３８が吸音材５０に対してラップしている。なお、好ましくは、車両側方から見た場合に延出部３８が吸音材５０に対して車両上下方向で完全にラップすることであるが、凸部４０の下端にラップする程度であってもよい。つまり、本実施形態における「ラップ」とは、対向方向に配置される部材同士が互いに重なることであり、発明の効果が得られる限り底部５０Ｂが延出部３８よりわずかに露出していても差し支えない。また、下側フランジ部４６の下端部は車両上下方向において、吸音材５０の底部５０Ｂと、延出部３８の下端部３９との間に配置されている。つまり、車両上下方向では、上から吸音材５０の底部５０Ｂ、下側フランジ部４６の下端部、延出部３８の下端部３９の順で配置されている。
【００３６】
（本実施形態の作用・効果）
次に、本実施形態の作用並びに効果を説明する。
本実施形態では、車両上下方向下方側に向かって延出する延出部３８が延出部３８より車両幅方向内側かつロッカモール３０の車両上下方向下方側に取付けられた吸音材５０に対して、車両側面視で車両上下方向にラップするように設けられている。このため、車両側面視で見た場合、ロッカモール３０の延出部３８が吸音材５０に対して両者がラップする範囲で隠れる。特に、本実施形態では延出部３８は吸音材５０に対して完全にラップしている。よって、吸音材５０はロッカモール３０の延出部３８によって完全に隠れる。その結果、本実施形態によれば、従来技術の効果（傷つき防止や吸音）を確保し、更に吸音効果を維持しつつ車両側面視における車両の外観品質を向上させることができる。
【００３７】
また、本実施形態では、車両上下方向において、吸音材５０の底部５０Ｂよりも下方側に下側フランジ部４６の下端部が設けられている。このため、車両の１０の下方側から入ってきたノイズが下側フランジ部４６に反射して吸音材５０に吸収される。その結果、本実施形態によれば、良好に吸音をすることができる。
【００３８】
さらに、本実施形態では、ロッカモール３０の下側フランジ部４６とロッカアウタパネル２２の下側フランジ部２２Ｅとが面接触している。これにより、下側フランジ部４６と下側フランジ部２２Ｅとが面接触している範囲でロッカアウタパネル２２の車両外側には、水が付着しづらくなる。その結果、本実施形態によれば、下側フランジ部２２Ｅの車両外側の錆を防止する効果が得られる。
【００３９】
加えて、本実施形態では、ロッカモール３０には、吸音材５０と車両上下方向と対向する側にスリット４８が設けられているため、ロッカモール３０とロッカ２０との間の空間と吸音材５０とがスリット４８を介して連通され、ロッカ２０内の空間に入ってきたノイズがスリット４８を通じて吸音材５０に吸収される。その結果、本実施形態によれば、ロッカ２０内の空間に入ってきたノイズが室内に伝わることを低減することができる。なお、本実施形態では、スリット４８が２箇所に配置されているが、これに限らず、１箇所であっても形成個数に応じた作用及び効果が得られる。
【００４０】
また、本実施形態では、吸音材５０の表面全体には撥水処理が施されているため、水溜り等からタイヤが巻き上げた水が吸音材５０に付着しづらくなる。従って、吸音材５０が腐食することを低減することができる。その結果、本実施形態によれば、良好に吸音をすることができる。
【００４１】
さらに、本実施形態では、ロッカモール３０には、車両下方側に向かって突出する凸部４０が設けられている。さらに、凸部４０の車両幅方向両側（即ち、側部４０Ａ、４０Ｂ）にはスリット４８が設けられている。従って、雨などを理由にロッカモール３０内部に水が溜まっても、ロッカモール３０の車両幅方向側部に設けられたスリット４８が水で塞がれにくくなる。その結果、本実施形態によれば、凸部４０に水が溜まってもスリット４８が水で塞がれることを低減することができる。
【００４２】
加えて、本実施形態では、ロッカモール３０に設けられたスリット４８は、凸部４０の車両幅方向内側かつ下方側に向かって傾斜しているため、水がスリット４８に溜まっても、凸部４０の内側に水が落ち易くなる。その結果、本実施形態によれば、スリット４８に水が溜まることを低減することができ、ひいては吸音材５０による吸音性能を良好に維持することができる。
【００４３】
また、上述したロッカモール３０を車両側部の下方側に設けられたロッカ２０に取り付けることにより、上述した作用・効果が車両側部構造に反映される。
【００４４】
さらに、本実施形態では、ロッカインナパネル２４とロッカアウタパネル２２とは縦断面形状がハット形とされており、各々車両上下方向に設けられた上側フランジ部２２Ａ、２４Ａ同士と下側フランジ部２２Ｅ、２４Ｅ同士とがそれぞれ接合されている。さらに、下側フランジ部２２Ｅと下側フランジ部４６とが当接している。このため、ロッカインナパネル２４とロッカアウタパネル２２とロッカモール３０との三者が当接した範囲においては、ロッカモール３０が加わった分だけ板厚が増え、車両側部下側の剛性が高まる。その結果、本実施形態によれば、車両の走行安定性の向上に寄与することができる。
【００４５】
なお、本実施形態では、凸部４０の側部４０Ａ、４０Ｂにスリット４８を設けているが、これに限らず、円孔等の連通部であってもよい。また、スリット４８は凸部４０の側部４０Ａ、４０Ｂ以外に設けられてもよい。請求項1記載の発明には、スリット４８がない構成も含まれる。
【００４６】
また、本実施形態では、吸音材５０には撥水処理が施されているが、吸音材５０の腐食を防げる効果があるものであればすべて適用可能である。加えて、請求項１又は請求項２記載の発明には、撥水処理が施されていないものも含まれる。
【００４７】
さらに、本実施形態では、ロッカモール３０には、凸部４０が設けられているが、ロッカモール３０の外壁部３６よりも車両上下方向下方側に突出する形状であればすべて適用可能である。加えて、請求項1〜請求項３記載の発明には凸部４０及び凸部４０の側部４０Ａ、４０Ｃにスリット４８が設けられていない構成も含まれる。
【００４８】
また、本実施形態では、凸部４０の側部４０Ａ、４０Ｂに設けられたスリット４８が底部４０Ｃに向かって傾斜しているが、水がスリット４８に溜まらない構成であればすべて適用可能である。また、請求項1〜請求項４記載の発明には、スリット４８が車幅方向内側かつ下方側に向かって傾斜していない構成も含まれる。
【００４９】
さらに、本実施形態では、下側フランジ部２２Ｅと下側フランジ部４６とが当接しているが、請求項６には、下側フランジ部２２Ｅと下側フランジ部４６とが当接していない例えば、隙間が空いている構成も含まれる。
【符号の説明】
【００５０】
２０    ロッカ
２２    ロッカアウタパネル
２２Ａ  上側フランジ部
２２Ｅ  下側フランジ部
２４    ロッカインナパネル
２４Ａ  上側フランジ部
２４Ｅ  下側フランジ部  
３０    ロッカモール
３８    延出部
４０    凸部
４８    スリット（連通部）
５０    吸音材
【図１】
2014028603.tif 000003
【図２】
2014028603.tif 000004
【図３】
2014028603.tif 000005